(57)【要約】【課題】垂直搬送工程の頂部スプロケットに対する高揚負荷の集中を解消するとともに伝動用エンドレスチェーンや頂部スプロケットの破損等の不具合を回避して優れたコンベヤ寿命を達成し、垂直搬送工程が拡張可能な高揚程バケットコンベヤを提供すること。【解決手段】左右一対の伝動用エンドレスチェーン１３０で両端支持して粉粒体状の搬送物Ｍを収容搬送する多数のバケット１３１と伝動用エンドレスチェーン１３０の少なくとも高揚側を吊り下げた状態で巻き掛けて垂直搬送工程の頂部領域に配置する左右一対の頂部スプロケット１２３とを備え、頂部スプロケット１２３に高揚して来る伝動用エンドレスチェーン１３０の高揚負荷を頂部スプロケット１２３に巻き上げられるバケット１３１側で分担支持する荷重受け手段１４０が左右一対の頂部スプロケット１２３に架設されている高揚程バケットコンベヤ１００。【選択図】図２
2011088743.tif 000002
【特許請求の範囲】
【請求項１】
左右一対の伝動用エンドレスチェーンで両端支持して粉粒体状の搬送物を収容搬送する多数のバケットと前記伝動用エンドレスチェーンの少なくとも高揚側を吊り下げた状態で巻き掛けて垂直搬送工程の頂部領域に配置する左右一対の頂部スプロケットとを備えた高揚程バケットコンベヤにおいて、
前記頂部スプロケットに高揚して来る伝動用エンドレスチェーンの高揚負荷を頂部スプロケットに巻き上げられるバケット側で分担支持する荷重受け手段が、前記左右一対の頂部スプロケットに架設されていることを特徴とする高揚程バケットコンベヤ。
【請求項２】
前記荷重受け手段が、前記左右一対の頂部スプロケットに挟持されたバケット毎に周設配置されていることを請求項１記載の高揚程バケットコンベヤ。
【請求項３】
前記荷重受け手段が、前記バケットの底部を下支えるＬ字状側断面のバケット受け部材と、該バケット受け部材と一体に架設されてバケット受け部材を揺動自在に左右一対の頂部スプロケットに軸支する受け部材支持軸と、該受け部材支持軸の軸端近傍から突出してバケット受け部材の揺動に追従する被係止ストッパーと、前記頂部スプロケットの側面に突設して被係止ストッパーと共働しながらバケット受け部材を揺動規制する係止ストッパーとで構成されていることを特徴とする請求項１または請求項２記載の高揚程バケットコンベヤ。
【請求項４】
前記バケット受け部材が、前記バケットを受け入れ自在に係合する円弧状側断面のバケット対向面を備えていることを特徴とする請求項３記載の高揚程バケットコンベヤ。
【請求項５】
前記受け部材支持軸が、可撓性金属材料で形成されていることを特徴とする請求項３または請求項４記載の高揚程バケットコンベヤ。
【発明の詳細な説明】
【技術分野】
【０００１】
本発明は、粉粒体、バラ物、塊状体等の搬送物を水平搬送工程と少なくとも１箇所以上の垂直搬送工程とを有するコンベヤケース内を搬送する高揚程バケットコンベヤに関するものである。
【背景技術】
【０００２】
従来、粉粒体、バラ物、塊状体等の搬送物を水平搬送工程と少なくとも１箇所以上の垂直搬送工程を有するコンベヤケース内で循環走行する左右一対の伝動用エンドレスチェーンの相互間に複数のバケットが取り付けられた高揚程バケットコンベヤが知られている。
【０００３】
このような従来の高揚程バケットコンベヤとして、例えば、図４に示すように、投入口５１１からバケットに投入された搬送物Ｍを水平方向から垂直方向に搬送し、さらに垂直方向から水平方向に方向転換する頂部領域に頂部スプロケットを設けたものが採用されている。
【先行技術文献】
【特許文献】
【０００４】
【特許文献１】特開２００４−１８９３６４号公報（第１頁、図３）
【発明の概要】
【発明が解決しようとする課題】
【０００５】
前述したような従来の高揚程バケットコンベヤ５００では、垂直搬送工程の高揚側全長に亙って吊り下げた状態の伝動用エンドレスチェーン５３０と多数のバケット５３１とこれらのバケット５３１に収容搬送される搬送物Ｍとの全荷重が、垂直搬送工程の頂部領域に配置された頂部スプロケット５２３のスプロケット歯に集中的に負荷されるため、垂直搬送工程の頂部スプロケット５２３と伝動チェーン５３０との噛み合い動作に不具合が生じ易く、異常な噛み合い騒音を発生したり、頂部スプロケット５２３のスプロケット歯が早期に損傷するなどコンベヤ寿命を著しく損なうという問題があった。
【０００６】
特に、垂直搬送工程が長くなった高揚程バケットコンベヤでは、上述したような異常な噛み合い騒音を発生したり、頂部スプロケット５２３のスプロケット歯が早期に損傷したりするなどの不都合が多発するため、垂直搬送工程の高低差Ｈ２を拡張することができず、高揚搬送の工程設計に支障を来すという問題があり、また、頂部スプロケット５２３の大型化や高強度化に専ら依存しなければならないという問題があった。
【０００７】
そこで、本発明は、従来の問題を解決するものであって、すなわち、本発明の目的は、垂直搬送工程の頂部スプロケットに対する高揚負荷の集中を解消するとともに伝動用エンドレスチェーンや頂部スプロケットの破損等の不具合を回避して優れたコンベヤ寿命を達成し、垂直搬送工程が拡張可能な高揚程バケットコンベヤを提供することである。
【課題を解決するための手段】
【０００８】
請求項１に係る本発明は、左右一対の伝動用エンドレスチェーンで両端支持して粉粒体状の搬送物を収容搬送する多数のバケットと前記伝動用エンドレスチェーンの少なくとも高揚側を吊り下げた状態で巻き掛けて垂直搬送工程の頂部領域に配置する左右一対の頂部スプロケットとを備えた高揚程バケットコンベヤにおいて、前記頂部スプロケットに高揚して来る伝動用エンドレスチェーンの高揚負荷を頂部スプロケットに巻き上げられるバケット側で分担支持する荷重受け手段が、前記左右一対の頂部スプロケットに架設されていることにより、前述したような課題を解決したものである。
【０００９】
請求項２に係る本発明は、請求項１に係る発明の構成に加えて、前記荷重受け手段が、前記左右一対の頂部スプロケットに挟持されたバケット毎に周設配置されていることにより、前述したような課題をさらに解決したものである。
【００１０】
請求項３に係る本発明は、請求項１または請求項２に係る発明の構成に加えて、前記荷重受け手段が、前記バケットの底部を下支えるＬ字状側断面のバケット受け部材と、該バケット受け部材と一体に架設されてバケット受け部材を揺動自在に左右一対の頂部スプロケットに軸支する受け部材支持軸と、該受け部材支持軸の軸端近傍から突出してバケット受け部材の揺動に追従する被係止ストッパーと、前記頂部スプロケットの側面に突設して被係止ストッパーと共働しながらバケット受け部材を揺動規制する係止ストッパーとで構成されていることにより、前述したような課題をさらに解決したものである。
【００１１】
請求項４に掛かる発明は、請求項３に係る発明の構成に加えて、前記バケット受け部材が、前記バケットを受け入れ自在に係合する円弧状側断面のバケット対向面を備えていることにより、前述したような課題をさらに解決したものである。
【００１２】
請求項５に係る本発明は、請求項３または請求項４に係る発明の構成に加えて、前記受け部材支持軸が、可撓性金属材料で形成されていることにより、前述したような課題をさらに解決したものである。
【発明の効果】
【００１３】
そこで、本発明の高揚程バケットコンベヤは、左右一対の伝動用エンドレスチェーンで両端支持して粉粒体状の搬送物を収容搬送する多数のバケットと伝動用エンドレスチェーンの少なくとも高揚側を吊り下げた状態で巻き掛けて垂直搬送工程の頂部領域に配置する左右一対の頂部スプロケットとを備えていることにより、粉粒体状の搬送物をバケットに入れた状態で高低差のある垂直方向に搬送することができるばかりでなく、以下のような本発明に特有の効果を奏することができる。
【００１４】
すなわち、請求項１に係る本発明の高揚程バケットコンベヤは、荷重受け手段が左右一対の頂部スプロケットに架設されていることにより、垂直搬送工程の頂部スプロケットに高揚して来る伝動用エンドレスチェーンと多数のバケットとこれらのバケットに収容搬送される搬送物との全高揚負荷が、垂直搬送工程の頂部領域に配置された頂部スプロケットのスプロケット歯と頂部スプロケットに巻き上げられるバケット側とで分担支持されるため、垂直搬送工程の頂部スプロケットと伝動用エンドレスチェーンに負荷される高揚負荷の集中を解消するとともに伝動用エンドレスチェーンや頂部スプロケットの破損や異常な噛み合い騒音等の不具合を回避して優れたコンベヤ寿命を達成し、しかも、頂部スプロケットの大型化や高強度化を強いることなく垂直搬送工程も拡張することができる。
【００１５】
請求項２に係る本発明の高揚程バケットコンベヤによれば、請求項１に係る発明が奏する効果に加えて、荷重受け手段が左右一対の頂部スプロケットに挟持されたバケット毎に周設配置されていることにより、垂直搬送工程の頂部スプロケットに高揚して来る伝動用エンドレスチェーンと多数のバケットとこれらのバケットに収容搬送される搬送物との全高揚負荷が、頂部スプロケットに巻き上げられた複数のバケットに順々に分担支持されるとともに確実に荷重分散されるため、スプロケット歯への過剰負荷を回避することができる。
【００１６】
請求項３に係る本発明の高揚程バケットコンベヤによれば、請求項１または請求項２に係る発明が奏する効果に加えて、荷重受け手段がＬ字状側断面のバケット受け部材と、このバケット受け部材と一体に架設されて左右一対の頂部スプロケットに軸支する受け部材支持軸と、この受け部材支持軸の軸端近傍から突出する被係止ストッパーと、頂部スプロケットの側面に突設する係止ストッパーとで構成されていることにより、Ｌ字状側断面のバケット受け部材と受け部材支持軸とがバケットの底部に対して揺動自在に接近して下支えるため、バケット受け部材がバケットを円滑に受け入れ可能となり、また、被係止ストッパーと係止ストッパーとが共働しながらバケット受け部材を揺動規制するため、バケット受け部材がバケットを確実かつ安定して下支えることができる。
【００１７】
請求項４に係る本発明の高揚程バケットコンベヤによれば、請求項３に係る発明が奏する効果に加えて、バケット受け部材が円弧状側断面のバケット対向面を備えていることにより、このバケット対向面が頂部スプロケットに巻き上げられるバケットとバケット受け部材との干渉を回避するため、バケット受け部材がバケットを円滑に受け入れ、バケット受け入れ時にバケット受け部材とバケットとで生じがちな衝突音などの騒音を解消することができる。
【００１８】
請求項５に係る本発明の高揚程バケットコンベヤによれば、請求項３または請求項４に係る発明が奏する効果に加えて、受け部材支持軸が可撓性金属材料で形成されていることにより、可撓性金属材料からなる受け部材支持軸のシナリと称する撓みが、バケットの製造誤差やバケットに収納搬送された搬送物に重量差を吸収するため、バケット受け部材のバケットに対する受け入れをさらに円滑に達成することができる。
【図面の簡単な説明】
【００１９】
【図１】本発明の一実施例である高揚程バケットコンベヤの概略図。
【図２】図１に示す高揚程バケットコンベヤの頂部領域を拡大した正面図。
【図３】図１に示す高揚程バケットコンベヤで用いた荷重受け手段の分解組み立て図。
【図４】従来の高揚程バケットコンベヤの概略図。
【発明を実施するための形態】
【００２０】
本発明は、左右一対の伝動用エンドレスチェーンで両端支持して粉粒体状の搬送物を収容搬送する多数のバケットと伝動用エンドレスチェーンの少なくとも高揚側を吊り下げた状態で巻き掛けて垂直搬送工程の頂部領域に配置する左右一対の頂部スプロケットとを備えた高揚程バケットコンベヤにおいて、頂部スプロケットに高揚して来る伝動用エンドレスチェーンの高揚負荷を頂部スプロケットに巻き上げられるバケット側で分担支持する荷重受け手段が左右一対の頂部スプロケットに架設され、垂直搬送工程の頂部スプロケットに対する高揚負荷の集中を解消するとともに伝動用エンドレスチェーンや頂部スプロケットの破損等の不具合を回避して優れたコンベヤ寿命を達成し、垂直搬送工程が拡張可能なものであれば、その具体的な態様は、如何なるものであっても構わない。
【００２１】
すなわち、本発明の高揚程バケットコンベヤは、粉粒体、バラ物、塊状体等の搬送物を水平搬送工程と少なくとも１箇所以上の垂直搬送工程とを有するコンベヤケース内を搬送するものであって、その適用される具体的な搬送物としては、粉粒体、バラ物、塊状体等のバケットに収納して搬送するものが対象である。
【００２２】
そして、本発明の高揚程バケットコンベヤに用いる伝動用エンドレスチェーンの具体的なチェーン形態については、左右一対の伝動用エンドレスチェーンの相互間にバケットを取り付けることが可能であれば良く、例えば、ローラチェーンあるいはブシュチェーンのいずれであっても差し支えない。
【００２３】
また、本発明に採用する荷重受け手段の具体的な形態については、左右一対の頂部スプロケットに架設されて頂部スプロケットに高揚して来る伝動用エンドレスチェーンの高揚負荷を頂部スプロケットに巻き上げられるバケット側で分担支持することができるものであれば、如何なる形態であっても良く、Ｌ字状側断面のバケット受け部材と、このバケット受け部材と一体に架設されて左右一対の頂部スプロケットに軸支する受け部材支持軸と、この受け部材支持軸の軸端近傍から突出する被係止ストッパーと、頂部スプロケットの側面に突設する係止ストッパーとで構成されている形態が好ましい。
【実施例】
【００２４】
以下、本発明の実施例である高揚程バケットコンベヤ１００を図１乃至図３に基づいて説明する。
ここで、図１は、本発明の一実施例である高揚程バケットコンベヤの概略図であり、図２は、図１に示す高揚程バケットコンベヤの頂部領域を拡大した正面図であり、図３は、図１に示す高揚程バケットコンベヤで用いた荷重受け手段の分解組み立て図である。
【００２５】
まず、本発明の一実施例である高揚程バケットコンベヤ１００は、図１に示すように、下部水平搬送工程と垂直搬送工程と上部水平搬送工程とでそれぞれＬ字状にレイアウト設計されたコンベヤケース１１０を備え、このコンベヤケース１１０内における下部水平搬送工程の始端領域に配置した左右一対の駆動スプロケット１２１と上部水平搬送工程の終端領域に配置した従動スプロケット１２２と垂直搬送工程の頂部領域に配置した左右一対の頂部スプロケット１２３とに掛架されて循環走行する左右一対のローラチェーンからなる伝動用エンドレスチェーン１３０を備えている。
【００２６】
そして、これらの左右一対の伝動用エンドレスチェーン１３０に両端支持されるとともに搬送方向に等間隔に取り付けて投入口１１１から投入落下した搬送物Ｍを収容搬送する多数のバケット１３１を備えている。
なお、図１における符号１１２は、搬送物Ｍを排出する排出口であり、符号１２４は、伝動用エンドレスチェーン１３０の走行方向を偏向案内する偏向スプロケットである。
【００２７】
このようにして、本実施例の高揚程バケットコンベヤ１００では、粉粒体状の搬送物Ｍをコンベヤケース１１０の下方位置に設けた投入口１１１からバケット１３１に投入し、このバケット１３１を水平搬送させ、次いで、伝動用エンドレスチェーン１３０の少なくとも高揚側を頂部スプロケット１２３かた吊り下げた状態で巻き掛けて高低差Ｈ１のある垂直方向の上昇搬送を経て、高所空間を水平搬送させた後、水平搬送の終端位置に設けた排出口１１２にて搬送物Ｍを排出するようにレイアウト設計されている。
【００２８】
そして、本実施例の高揚程バケットコンベヤ１００では、前述した頂部スプロケット１２３に高揚して来る伝動用エンドレスチェーン１３０の高揚負荷を頂部スプロケット１２３に巻き上げられるバケット１３１側で分担支持する荷重受け手段１４０が、左右一対の頂部スプロケット１２３に架設され、この荷重受け手段１４０によって、垂直搬送工程の頂部スプロケット１２３に高揚して来る伝動用エンドレスチェーン１３０と多数のバケット１３１とこれらのバケット１３１に収容搬送される搬送物Ｍとの全高揚負荷が、垂直搬送工程の頂部領域に配置された頂部スプロケット１２３のスプロケット歯と頂部スプロケット１２３に巻き上げられるバケット１３１側とで分担支持されるようになっている。
【００２９】
そこで、本実施例の高揚程バケットコンベヤ１００が最も特徴とする荷重受け手段１４０の具体的な構成について、図２及び図３に基づいて以下に詳しく説明する。
【００３０】
すなわち、前述した荷重受け手段１４０は、左右一対の頂部スプロケット１２３に挟持されたバケット１３１毎に周設配置されていることにより、垂直搬送工程の頂部スプロケットに高揚して来る伝動用エンドレスチェーン１３０と多数のバケット１３１とこれらのバケット１３１に収容搬送される搬送物Ｍとの全高揚負荷が、頂部スプロケット１２３に巻き上げられた複数のバケット１３１に順々に分担支持されるとともに確実に荷重分散されるようになっている。
【００３１】
そして、前述した荷重受け手段１４０は、Ｌ字状側断面のバケット受け部材１４１と、このバケット受け部材１４１と一体に架設されて左右一対の頂部スプロケット１２３に軸支する受け部材支持軸１４２と、この受け部材支持軸１４２の軸端近傍から突出する被係止ストッパー１４３と、頂部スプロケット１２３の側面に突設する係止ストッパー１２３ａとで構成されている。
これにより、バケット受け部材１４１と受け部材支持軸１４２とが、バケット１３１の底部に対して揺動自在に接近して下支えるとともに、被係止ストッパー１４３と係止ストッパー１２３ａとが、相互に共働しながらバケット受け部材１４１を揺動規制するようになっている。
【００３２】
さらに、前述したバケット受け部材１４１は、図２乃至図３に明示されていないが円弧状側断面からなるバケット対向面１４１ａを備えている。
これにより、このバケット対向面１４１ａが，頂部スプロケット１２３に巻き上げられるバケット１３１とバケット受け部材１４１との干渉を回避するようになっている。
【００３３】
また、前述した受け部材支持軸１４２は、可撓性金属材料で形成されている。
これにより、可撓性金属材料からなる受け部材支持軸１４２のシナリと称する撓みが、バケット１３１の製造誤差やバケット１３１に収納搬送された搬送物Ｍの重量差を吸収するようになっている。
【００３４】
このようにして得られた本発明の実施例である高揚程バケットコンベヤ１００は、荷重受け手段１４０が左右一対の頂部スプロケット１２３に架設されているため、垂直搬送工程の頂部スプロケット１２３と伝動用エンドレスチェーン１３０に負荷される高揚負荷の集中を解消するとともに伝動用エンドレスチェーン１３０や頂部スプロケット１２３の破損や異常な噛み合い騒音等の不具合を回避して優れたコンベヤ寿命を達成し、頂部スプロケット１２３の大型化や高強度化を強いることなく垂直搬送工程も拡張（Ｈ１＞Ｈ２）でき、また、荷重受け手段１４０が頂部スプロケット１２３に対してバケット毎に周設配置されているため、特定のスプロケット歯への過剰負荷を回避できる。
【００３５】
そして、荷重受け手段１４０がＬ字状側断面のバケット受け部材１４１と、このバケット受け部材と一体に架設されて左右一対の頂部スプロケットに軸支する受け部材支持軸１４２と、この受け部材支持軸１４２の軸端近傍から突出する被係止ストッパー１４３と、頂部スプロケット１２３の側面に突設する係止ストッパー１２３ａとで構成されているため、バケット受け部材１４１がバケット１３１を円滑に受け入れ可能となり、バケット受け部材１４１がバケット１３１を確実かつ安定して下支えることができるなど、その効果は甚大である。
【符号の説明】
【００３６】
１００  ・・・  高揚程バケットコンベヤ
１１０  ・・・  コンベヤケース
１１１  ・・・  投入口
１１２  ・・・  排出口
１２１  ・・・  駆動スプロケット
１２２  ・・・  従動スプロケット
１２３  ・・・  頂部スプロケット
１２３ａ・・・  係止ストッパー
１２４  ・・・  偏向スプロケット
１３０  ・・・  伝動用エンドレスチェーン
１３１  ・・・  バケット
１４０  ・・・  荷重受け手段
１４１  ・・・  バケット受け部材
１４１ａ・・・  バケット対向面
１４２  ・・・  受け部材支持軸
１４３  ・・・  被係止ストッパー
５００  ・・・  従来の高揚程バケットコンベヤ
５１０  ・・・  コンベヤケース
５１１  ・・・  投入口
５２３  ・・・  頂部スプロケット
５３０  ・・・  伝動用エンドレスチェーン
５３１  ・・・  バケット
Ｍ    ・・・  搬送物
Ｈ１  ・・・  本発明における垂直搬送工程の高さ
Ｈ２  ・・・  従来における垂直搬送工程の高さ
【図１】
2011088743.tif 000003
【図２】
2011088743.tif 000004
【図３】
2011088743.tif 000005
【図４】
2011088743.tif 000006